(57)【要約】      （修正有）【課題】複数の住戸で共有したい来訪を望まない人物の情報を、容易に共有することができ、セキュリティを向上させるドアホン装置を提供する。【解決手段】来訪者の個人特定情報を取得するドアホン子機１と、応対不必要な来訪者の個人特定情報を記憶し複数の住戸で共用する共用データベース４１と、来訪者の個人特定情報が前記共用データベースに登録された個人特定情報と一致しない場合にのみ呼び出し音を発生するドアホン親機２とを備えて、複数の住戸で共用データベースを共用化することにより、１件の住戸で来訪者を共用データベースに登録するだけで、複数の住戸全てにおいてその来訪者が再度来訪してもドアホンを鳴らさないようにすることができる。【選択図】  図１
2004221736.tif 000002
【特許請求の範囲】
【請求項１】
来訪者の個人特定情報を取得するドアホン子機と、応対不必要な来訪者の個人特定情報を記憶し複数の住戸で共用する共用データベースと、来訪者の個人特定情報が前記共用データベースに登録された個人特定情報と一致しない場合にのみ呼び出し音を発生するドアホン親機とを備えることを特徴とするドアホン装置。
【請求項２】
前記個人特定情報は、来訪者を特定できる前記来訪者の画像または特徴であることを特徴とする請求項１記載のドアホン装置。
【請求項３】
前記ドアホン親機は、前記共用データベースに記録された来訪者に対する今後の応対の有無を登録する応対登録手段を有することを特徴とする請求項１または２記載のドアホン装置。
【請求項４】
前記共用データベースに記録される来訪者に対する今後の応対の有無の登録は、住戸毎且つ来訪者毎に行われることを特徴とする請求項３記載のドアホン装置。
【請求項５】
前記共用データベースは来訪者の個人特定情報とともに来訪者毎に来訪を通報する通報先を登録し、前記ドアホン親機は来訪者の個人特定情報が前記共用データベースに登録されている前記個人特定情報と一致したときに前記通報先に通報する通報手段を有することを特徴とする請求項１ないし４のいずれかに記載のドアホン装置。
【請求項６】
請求項１ないし５のいずれかに記載された共用データベースに登録された来訪者の個人特定情報及び各個人特定情報に対する通報先データを記録したコンピュータ読み取り可能な記録媒体。
【発明の詳細な説明】
【０００１】
【発明の属する技術分野】
本発明は、迷惑防止機能付きドアホン装置に関する。
【０００２】
【従来の技術】
従来、ドアホン装置としては、図６に示すようなものが知られている。
図６に示す従来のドアホン装置は、主装置１０１と、ボタン電話機（子機）１０５と、テレビドアホン１０６と、ＣＰＵ１１４と、画像処理部１１９と、画像メモリ１２０とにより、電話装置として構成される。（例えば、特許文献１参照）。
このように構成されたドアホン装置において、テレビドアホン１０６で呼出操作が行われたときに、テレビドアホン１０６のテレビカメラからの画像データを主装置１０１の画像処理部１１９で受信させて処理させ、この処理された画像データと画像メモリ１２０に予め登録されていた画像データとの比較処理を行い、登録されたものと一致すれば、ＣＰＵ１１４がボタン電話機（子機）１０５に対して着信音を鳴らすよう指示し、ボタン電話機（子機）１０５において着信音を鳴らす。
【０００３】
【特許文献１】
特開平０９―１０７３９９号公報、
（第３、４頁、段落番号０００７乃至００１５、図面番号図３）。
【０００４】
【発明が解決しようとする課題】
上記、従来のドアホン装置においては、各々の住戸でデータベースを構築しているため、同一来訪者を複数の住戸で登録するためには余分な手間がかかるという問題があった。
また、訪問販売や不審人物等の情報は複数の住戸で共有する方がセキュリティの向上につながるが、従来のドアホン装置では個別に設定する必要があるため、情報の共有化が難しいという問題があった。
また、ドアホンを鳴らす人物を登録するため、交友関係の広い住戸では多くの来訪者を登録しなければいけないことになり、登録に多大な手間を要するという問題があった。
また、不審人物や犯罪者等の情報が登録されないため、そのような人物の訪問があったことを識別する手段がなく、従って警察等への通報は行われず、周辺のセキュリティは良くならないという問題があった。
また、住人不在時に、来訪者に関係する住人や、応対をお願いした近所へ連絡する手段がなく、住人が不在で対応できないことによって、来訪者が不快になるという問題があった。
【０００５】
本発明は、このような従来の問題を解決するためになされたもので、複数の住戸で共有したい来訪を望まない人物の情報を、容易に共有することができ、セキュリティを向上させるドアホン装置を提供するものである。
【０００６】
【課題を解決するための手段】
本発明におけるドアホン装置は、来訪者の個人特定情報を取得するドアホン子機と、応対不必要な来訪者の個人特定情報を記憶し複数の住戸で共用する共用データベースと、来訪者の個人特定情報が前記共用データベースに登録された個人特定情報と一致しない場合にのみ呼び出し音を発生するドアホン親機とを備えるという構成を有している。この構成により、複数の住戸で共用データベースを共用化することにより、ある１件の住戸で来訪者を共用データベースに登録するだけで、複数の住戸全てにおいてその来訪者が再度来訪してもドアホンを鳴らさないようにすることが可能になる。また、ドアホンを鳴らさない人物のみを登録することにより、交友関係の広い住戸においても登録の手間を省くことが可能になる。
【０００７】
本発明におけるドアホン装置は、前記個人特定情報が、来訪者を特定できる前記来訪者の画像または特徴であるという構成を有している。この構成により、来訪者に対する応対の可否を決める個人特定情報を来訪者の顔画像またはホクロ等目立つ特徴を採用したことにより、正確に応対不必要な来訪者を見分けることができる。
【０００８】
本発明におけるドアホン装置は、前記ドアホン親機が、前記共用データベースに記録された来訪者に対する今後の応対の有無を登録する応対登録手段を有するという構成を有している。この構成により、集合住宅の各々の住戸でも来訪者情報を共用データベースに記憶できるようになり、他の住戸で共用データベースに登録された来訪者に対しても、各々の住戸の要望に応じてドアホンを鳴らすか鳴らさないかを決めることができることとなる。
【０００９】
本発明におけるドアホン装置は、前記共用データベースに記録される前記来訪者に対する今後の応対の有無の登録が、住戸毎且つ来訪者毎に行われるという構成を有している。この構成により、来訪者に対する今後の対応の有無は、各住戸の判断により行うことができるので、共用データベースに登録された来訪者に対しても、各々の住戸の要望に応じてドアホンを鳴らすようにすることが可能になる。
【００１０】
本発明におけるドアホン装置は、前記共用データベースが来訪者の個人特定情報とともに前記来訪者毎に来訪を通報する通報先を登録し、前記ドアホン親機は来訪者の個人特定情報が前記共用データベースに登録されている前記個人特定情報と一致したときに前記通報先に通報する通報手段を有するという構成を有している。この構成により、通報を必要とする来訪者が確認された場合には、通報先に自動的に通報することができる。
【００１１】
本発明におけるコンピュータ読み取り可能な記録媒体は、請求項１ないし５のいずれかに記載された共用データベースに登録された来訪者の個人特定情報及び各個人特定情報に対する通報先データを記録したという構成を有している。この構成により、共用データベースに記録されている来訪者の対応の可否情報及び通報先情報を他のコンピュータで容易に取得することができる。
【００１２】
【発明の実施の形態】
以下、添付図面に基づき、本発明の第１ないし第３の実施の形態を詳細に説明する。
（第１の実施の形態）
まず、図１を参照して、本発明の第１の実施の形態におけるドアホン装置の構成を説明する。図１に示す、本実施の形態における第１の住戸のドアホン装置３１のテレビカメラ付きドアホン子機１は、テレビカメラ前の映像を撮像して画像信号として出力するテレビカメラ１０と、テレビカメラ付きドアホン子機１の前に居る来訪者がテレビモニタ付きドアホン親機２の前に居る住人との通話を成立するために用いる子機マイク１１及び子機スピーカ１２と、テレビモニタ付きドアホン親機２を呼び出す場合に用いられる呼出ボタン１３と、テレビカメラ１０で撮像された映像と子機マイク１１から採取された音声と呼出ボタンの押下信号を多重化して送信し、後述するテレビモニタ付きドアホン親機２で入力された音声を受信する多重回路１４とで構成されており、多重回路１４はテレビモニタ付きドアホン親機２の多重回路２０に接続されている。
【００１３】
また、図１に示す、本実施の形態におけるドアホン装置のテレビモニタ付きドアホン親機２は、テレビカメラ付きドアホン子機１から受信した映像と音声と呼出ボタン１３の押下信号とを分離し、ハンドセット２９から入力した音声を送信する多重回路２０と、テレビカメラ付きドアホン子機１のテレビカメラ１０で撮像した映像信号を出力する映像信号制御回路２２と、映像信号制御回路２２から出力した映像信号から来訪者の顔画像を切り出し、共用データベース４１に登録されている顔画像と同一人物のものか否かを判定する顔画像認識装置２３と、映像信号制御回路２２から出力した映像信号によりテレビカメラ付きドアホン子機１のテレビカメラ１０で撮像した来訪者の画像を映すテレビモニタ２１と、顔画像認識装置２３で共用データベース４１に登録された顔画像と同一人物であると判定された場合に、呼出音を発生するよう指示する呼出音発生切替部２５と、呼出音を発生させる呼出音発生回路２６と、テレビカメラ付きドアホン子機１からテレビモニタ付きドアホン親機２を呼び出す場合で、かつ呼出音発生切替部２５で呼出音を発生すると判定された場合に呼出音を鳴動させるスピーカ２７と、テレビモニタ付きドアホン親機２の前に居る住人がテレビカメラ付きドアホン子機１の前に居る来訪者との通話を成立させるために用いるハンドセット２９と、ハンドセット２９で送受信される音声信号を適宜に信号処理する音声信号制御回路２８と、集合住宅（第１の住戸３１、第２の住戸３２、・・・、第３の住戸３３）で共用可能な来訪者の個人特定情報（詳細は後述する）を記憶したデータベースである共用データベース４１と、各住戸で今後応対したくない来訪者の顔画像の共用データベース４１への登録をテレビモニタ付きドアホン親機２に指示する登録ボタン３０とにより構成される。
【００１４】
次に、図１を参照して、本発明の第１の実施の形態におけるドアホン装置の動作を説明する。まず、第１の住戸のドアホン装置３１のテレビカメラ付きドアホン子機１のテレビカメラ１０によって撮像された画像を、テレビモニタ付きドアホン親機２の顔画像認識装置２３により共用データベース４１に予め登録されている全ての顔画像のうち、いずれかの顔画像と一致するかどうかを判定する。顔画像認識装置２３における認識結果により、撮像された画像が共用データベース４１に登録された全ての顔画像と一致しないと判定された場合は、呼出音発生切替部２５から呼出音発生回路２６に対し呼出音発生を指示し、呼出音発生回路２６により呼出音を発生して、スピーカ２７で呼出音を鳴らす。逆に、いずれかの顔画像と一致する場合は、呼出音発生回路２６は呼出音発生指示は行わず、その結果、スピーカ２７を鳴動させない。
【００１５】
さらに、応対の結果、住人が今後応対したくないと思った来訪者に対しては、登録ボタン３０を押すことにより、顔画像認識装置２３で切り出された来訪者の顔画像を共用データベース４１に登録する。
また、共用データベース４１には、ドアホンを鳴らす来訪者ではなく、ドアホンを鳴らさない来訪者のみを登録している。この理由は、ドアホンを鳴らす来訪者を共用データベース４１へ登録すると、交友関係は住戸毎に大きく異なっていることが多いため、各住戸で多くの人物を登録しなければならなくなり、共用化する長所は少ないという問題が生じるが、ドアホンを鳴らさない来訪者のみを共用データベース４１へ登録すると、訪問販売や不審人物等の、全ての住戸で対応したくないと考えられる人物を登録できるため、住戸全体に対してより有用な共用データベースを構築できるからである。
【００１６】
なお、共用データベース４１のデータを、ネットワークで当該住戸以外に転送を可能にしたり、リムーバブルなハードディスクやメモリ等に記録して、当該住戸以外でも利用できるようにしても構わない。当該住戸以外で利用する場合の一例としては、近所への引越しが挙げられ、この場合は共用データベースがリムーバブルなハードディスクやメモリで構成されていたり、あるいは引越し前と引越し後の住宅がネットワーク等で共用データベースのデータを転送できる状態であれば、引越し先の共用データベース４１にコピーして使用することが可能になる。
【００１７】
また、共用データベース４１に登録された人物は、第２の住戸のドアホン装置３２、及び第３の住戸のドアホン装置３３を含めた、共用データベース４１を利用する住戸全てに共通に呼出音が鳴らさなくする。なお、第１の住戸のドアホン装置３１の場合と同様に、第２の住戸のドアホン装置３２及び第３の住戸のドアホン装置３３からも共用データベース４１に登録することができる。また、警察等の公共機関のデータベースともデータの授受が可能であり、例えば警察が犯罪者や要注意人物を共用データベース４１に登録しても構わない。
【００１８】
なお、テレビモニタ付きドアホン親機２に、共用データベース４１に登録された顔画像データを消去する機能を設けても良い。データを消去された人物については、以降該当する住戸あるいは集合住宅全体を訪問すると、呼出音が鳴らない状態から鳴る状態に変化することになる。
また、共用データベース４１に記憶して来訪者に応対するかしないかの認識対象とする来訪者の個人特定情報は、本実施の形態では顔画像として説明してきたが、顔画像だけとする必要はなく、顔画像から抽出可能な特徴的な情報を記録しても構わない。例えば、目・鼻・口の形状、顔の形状、黒子の位置等の情報も挙げられる。
また、認識対象は顔画像だけである必要はなく、その他の認識対象、例えば音声や顔画像以外の画像としたり、顔画像と併用しても良い。
【００１９】
このような本発明の第１の実施の形態のドアホン装置によれば、複数の住戸で共用データベースを共用化して、共用データベースとして利用することにより、ある１件の住戸を訪れた来訪者を登録ボタンで共用データベースに登録するだけで、複数の住戸全てにおいてその来訪者が再度来訪してもドアホンを鳴らさないようにすることが可能になり、複数の住戸で個別に来訪者を登録する必要がなくなるため、訪問販売や不審人物等の複数の住戸で共有したい情報を、手間を掛けず容易に共有することが可能になり、セキュリティも向上させることができる。
【００２０】
（第２の実施の形態）
次に、図２を参照して、本発明の第２の実施の形態におけるドアホン装置の構成を説明する。本実施の形態におけるドアホン装置は、上記の第１の実施の形態におけるドアホン装置とは、共用データベース４１に記録された人物に対して今後の応対の有無を登録する応対登録ボタン３４を追加した点で相違する。なお、応対登録ボタン３４には共用データベース４１に記録されている特定の人物を呼び出すためのボタン等を設けてもよい。その他の構成要素は第１の実施の形態のものと同様のため、詳細な説明は省略する。
【００２１】
次に、図２及び図３を参照して、本発明の第２の実施の形態におけるドアホン装置の動作を説明する。なお、以下の動作の説明では、第１の実施の形態における動作と異なる点についてのみ説明する。
共用データベース４１に来訪者を登録した後、各住戸では応対登録ボタン３４の操作により、個々の来訪者に対してドアホンの呼出音を鳴らすまたは鳴らさないを選択して登録することができる。
以下、図３を参照して、各住戸で決定した応対情報が、共用データベース４１にどのように記録されるかを説明する。応対の有無を登録する際には、共用データベース４１に記憶されている来訪者の画像を表示しながら、その来訪者への応対の有無を登録する。すなわち、応対登録ボタン３４を操作することにより共用データベース４１から希望する来訪者の画像を呼出し、顔画像認識装置に入力するとともにテレビモニタ２１に入力して、呼出した来訪者の画像を表示する。操作者は来訪者の画像の表示を見ながら以下に示すような呼出音を「鳴らす」「鳴らさない」を決定する。
【００２２】
図３に示す情報で、「鳴らさない」は、当該来訪者（現在の来訪者）が再度来訪したときに呼出音を鳴らさない。「鳴らす」は、当該来訪者が再度来訪したときに呼出音を鳴らすという意味である。
図３の登録情報には、来訪者の画像データだけでなく、来訪者に対する各住戸での対応も一緒に記録される。例えば、来訪者１に対しては、第１の住戸のドアホン装置３１、第２の住戸のドアホン装置３２、第３の住戸のドアホン装置３３とも「鳴らさない」と設定しており、来訪者２に対しては、第２の住戸のドアホン装置３２のみが「鳴らす」、第１の住戸のドアホン装置３１及び第３の住戸のドアホン装置３３では「鳴らさない」と設定し、来訪者３に対しては、第３の住戸のドアホン装置３３のみが「鳴らす」、第１の住戸のドアホン装置３１及び第２の住戸のドアホン装置３２が「鳴らさない」と設定し、来訪者ｎに対しては、第２の住戸のドアホン装置３２及び第３の住戸のドアホン装置３３が「鳴らさない」、第１の住戸のドアホン装置３１が「鳴らす」と設定していることがわかる。なお、「鳴らす」「鳴らさない」という情報は、例えば、０が記憶されていれば「鳴らす」、１が記憶されていれば「鳴らさない」というように、記憶内容を単純化して記憶しても構わない。また、来訪者を共用データベース４１に新規登録する場合には、登録した住戸の初期設定は「鳴らさない」とし、登録した住戸以外の住戸の初期設定は、各住戸の希望や周辺のセキュリティレベル等の状況に応じて、「鳴らす」「鳴らさない」のどちらに設定しても構わない。顔画像認識装置２３では、共用データベース４１に記憶されているデータから、自分の住戸の対応が「鳴らさない」と登録されている来訪者の顔画像データのみを引き出して照合を行う。
なお、各住戸の対応は、適宜各住戸から変更できるようにしても構わない。
【００２３】
このような本発明の第２の実施の形態のドアホン装置によれば、他の住戸から共用データベース４１に登録された来訪者に対して、登録ボタンでドアホンの呼び出し音を鳴らすまたは鳴らさないを選択することにより、各住戸の応対情報も共用データベース４１に記憶できるようになるため、共用データベース４１に登録された来訪者に対しても、各々の住戸の要望に応じてドアホンを鳴らすようにすることができるようになり、複数の住戸のニーズが複雑化しても、住戸の要望に応じたきめ細かい対応を実現することができる。
【００２４】
（第３の実施の形態）
次に、図４を参照して、本発明の第３の実施の形態におけるドアホン装置の構成を説明する。本実施の形態におけるドアホン装置は、上記の第１の実施の形態におけるドアホン装置とは、公衆電話網６１に接続する通報装置７１を設け、公衆電話網６１から警察５２、第１の携帯電話５３及び第２の携帯電話５４に接続するようにした点で相違する。その他の構成要素は第１の実施の形態のものと同様のため、詳細な説明は省略する。
【００２５】
次に、図４及び図５を参照して、本発明の第３の実施の形態におけるドアホン装置の動作を説明する。なお、以下の動作の説明では、第１の実施の形態における動作と異なる点についてのみ説明する。
顔画像認識装置２３で切り出した来訪者の顔画像が、共用データベース４１に登録した顔画像と一致すると、共用データベース４１に記録されている来訪者に対応する通報先へ、自動的に公衆電話網６１を経由して通報し、来訪者がどのような人物であるか、どの住戸に来訪したかを情報として流す。例えば、図５に示すように、共用データベース４１には、各々の来訪者の画像に対応して、通報先の電話番号を追加しておき、来訪者２の顔画像と一致した場合には警察５２へ通報し、来訪者３の顔画像と一致した場合には第１の携帯電話５３へ通報し、来訪者４の顔画像と一致した場合には第２の携帯電話５４へ通報し、通報先なしとなっている場合にはどこにも通報しないようにするというものである。
なお、通報先は警察や携帯電話だけである必要はなく、その他一般住宅、集合住宅等の端末でも構わない。例えば、不在時に応対が必要な人物が来訪しそうな場合には、通報先として、予め不在時の応対を依頼した近所の電話番号を共用データベース４１へ登録しておいて、登録した人物が来訪した場合には、自動的に通報先である近所へ通報して、代わりに応対してもらうという用途が考えられる。
【００２６】
また、本実施の形態では、通報経路を公衆電話網を経由するものとしたが、それ以外の通報経路を使用しても構わない。例えば、ＬＡＮ／ＷＡＮ等のネットワークを使用する、住戸と通報先との直結回線を使用する、通報専用に無線回線を使用する等の方法も考えられる。警察等の確実に通報すべき通報先には、犯罪発生時に犯罪者に切断される可能性がある電話回線以外に、別の経路も併用する方が望ましい。
【００２７】
このような本発明の第３の実施の形態のドアホン装置によれば、顔画像認識装置２３が共用データベース４１に登録されている通報を必要とする来訪者を認識した場合には、共用データベース４１に登録されている通報先へ通報装置が自動的に通報することができ、通報の手間をなくすことが可能になる。また、共用データベース４１に登録されている通報が必要な来訪者を顔画像認識装置２３で認識すると、予め来訪者と対応付けて登録されている通報先へ通報装置が自動的に通報してくれるため、不審人物や犯罪者等を捕捉する機会が多くなり、周辺のセキュリティレベルが向上する。また、不在時でも来訪者に応じて家族や近所へ自動的に連絡して、家族や近所が直ちに来訪者に対応することも可能になるため、住人が不在で応対できないことによる来訪者の不快感を少なくすることができる。
【００２８】
【発明の効果】
本発明におけるドアホン装置は、上記のように構成され、特に、応対が不必要な来訪者に関する個人を特定できる情報を格納した複数の住戸で共用できる共用データベースを設けることにより、訪問販売や不審人物等の複数の住戸で共有したい情報を、手間を掛けずに容易に共有することが可能になり、セキュリティも向上させることができる。
【図面の簡単な説明】
【図１】本発明の第１の実施の形態におけるドアホン装置の構成を示すブロック図、
【図２】本発明の第２の実施の形態におけるドアホン装置の構成を示すブロック図、
【図３】本発明の第２の実施の形態におけるドアホン装置の共用データベースの記録内容の説明図、
【図４】本発明の第３の実施の形態におけるドアホン装置の構成を示すブロック図、
【図５】本発明の第３の実施の形態におけるドアホン装置の共用データベースの記録内容の説明図、
【図６】従来のドアホン装置の構成を示すブロック図。
【符号の説明】
１  テレビカメラ付きドアホン子機
２  テレビモニタ付きドアホン親機
１０  テレビカメラ
１１  子機マイク
１２  子機スピーカ
１３  呼出ボタン
１４、２０  多重回路
２１  テレビモニタ
２２  映像信号制御回路
２３  顔画像認識装置
２５  呼出音発生切替部
２６  呼出音発生回路
２７  スピーカ
２８  音声信号制御回路
２９  ハンドセット
３０  登録ボタン
３１  第１の住戸のドアホン装置
３２  第２の住戸のドアホン装置
３３  第３の住戸のドアホン装置
４１  共用データベース
５２  警察
５３  第１の携帯電話
５４  第２の携帯電話
６１  公衆電話網
７１  通報装置
１０１  主装置
１０５  ボタン電話機（子機）
１１４  ＣＰＵ
１１９  画像処理部
１２０  画像メモリ
【図１】
2004221736.tif 000003
【図２】
2004221736.tif 000004
【図３】
2004221736.tif 000005
【図４】
2004221736.tif 000006
【図５】
2004221736.tif 000007
【図６】
2004221736.tif 000008